(57)【要約】  【課題】  不正行為により入賞装置の入賞口を覆う回動体に外力が加えられて入賞口が開けられ、不正に賞球が獲得されないようにすることと、入賞する遊技球の球こぼれが生じにくくなるようにすることである。  【解決手段】  パチンコ機１００における遊技台板７の開口１１を閉塞する第一開閉扉１２の扉本体１７の遊技者側に、一対の第二開閉扉１３の扉本体１９を重ね合わせて配置させ、第一及び第二の各開閉扉１２，１３の閉状態では、第一開閉扉１２に異物が引っ掛けられて不正に開かれようとしても、各第二開閉扉１３の抵抗力をもって阻止し、同じく開状態では、第一開閉扉１２の扉本体１９の両端部に近接配置される各第二開閉扉１３によって、遊技球Ｂの球こぼれを防止する。【選択図】  図４
2008148823.tif 000002
【特許請求の範囲】
【請求項１】
遊技機の遊技盤に固定され、その遊技盤上の遊技球を受け入れるための入賞口を有する遊技機用可変入賞装置であって、
前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、
その回動体よりも遊技者側に位置すると共に、前記遊技盤と平行状に配置され、遊技者側から見て前記回動体との重なりを生じて前記入賞口を少なくとも部分的に覆い隠す重合位置と、前記回動体との重なりを解除し前記入賞口の外側に退避してその回動体の外縁に接触又は接近する退避位置との間で移動して前記回動体との重合態様を変更する補助体とを備え、
前記回動体が前記閉鎖位置に回動したとき、前記補助体は前記重合位置に移動して遊技球の入賞が不能な第一状態となる一方、
前記回動体が前記開放位置に回動したとき、前記補助体は前記退避位置に移動して遊技球の入賞が可能な第二状態となることを特徴とする遊技機用可変入賞装置。
【請求項２】
遊技機の遊技盤に固定され、その遊技盤上の遊技球を受け入れるための入賞口を有する遊技機用可変入賞装置であって、
前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、
その回動体を前記閉鎖位置と開放位置との間で回動変位させるための回動体アクチュエータと、
その回動体アクチュエータの駆動力を前記回動体に伝達する回動体伝動機構と、
前記回動体が前記閉鎖位置に保持されるように、その回動体を直接又は他部材を介して間接的に付勢するための付勢部材と、
前記回動体よりも遊技者側に位置すると共に、前記遊技盤と平行状でかつ遊技球の流下方向に沿って配置された補助回動軸線周りに回動可能に取り付けられ、遊技者側から見て前記回動体との重なりを生じて前記入賞口を少なくとも部分的に覆い隠す重合位置と、前記回動体との重なりを解除し前記入賞口の外側に退避してその回動体の外縁に接触又は接近する退避位置との間で回動して前記回動体との重合態様を変更する補助体としての補助回動体と、
その補助回動体が前記重合位置に保持されるように、その補助回動体を直接又は他部材を介して間接的に付勢するための補助付勢部材とを備え、
前記回動体が前記付勢部材の付勢力により前記閉鎖位置に回動したとき、前記補助回動体は前記補助付勢部材の付勢力により前記重合位置に回動して遊技球の入賞が不能な第一状態となる一方、
前記回動体が前記付勢部材の付勢力に抗して前記開放位置に回動したとき、前記補助回動体は前記補助付勢部材の付勢力に抗して前記退避位置に回動して遊技球の入賞が可能な第二状態となることを特徴とする遊技機用可変入賞装置。
【請求項３】
前記第一状態において、前記閉鎖位置に回動した回動体と前記重合位置に移動した補助体とは、互いの対向面同士が少なくとも部分的に接触するように配置されていることを特徴とする請求項１又は２に記載の遊技機用可変入賞装置。
【請求項４】
前記回動体の遊技者側の表面には、前記入賞口の内部側に向けて部分的に窪むことによって段差部が形成され、
前記第一状態において前記閉鎖位置に回動した回動体の段差部に、前記重合位置に移動した補助体が嵌合することを特徴とする請求項１ないし３のいずれか１項に記載の遊技機用可変入賞装置。
【請求項５】
前記第一状態において、前記入賞口を形成する枠体と前記補助体とは、遊技者側の表面が面一状になるように配置されていることを特徴とする請求項１ないし４のいずれか１項に記載の遊技機用可変入賞装置。
【請求項６】
請求項１ないし５のいずれか１項に記載の遊技機用可変入賞装置が前記遊技盤に固定配置されたことを特徴とする遊技機。
【発明の詳細な説明】
【技術分野】
【０００１】
本発明は、遊技機の遊技盤に固定され、その遊技盤上の遊技球を受け入れるための入賞口を有する遊技機用可変入賞装置、及びそれを用いた遊技機に関するものである。
【背景技術】
【０００２】
遊技機において、「アタッカー」（可変入賞装置）と称される大入賞口を備えた役物は、横長方形状の大入賞口が、対応する閉塞部材（開閉扉）により開閉可能に塞がれる構造となっている。通常、開閉扉は下縁両端部が役物の前面プレート等に例えばヒンジ止めされている。そして、ソレノイド等の駆動手段により、大入賞口を塞ぐ閉塞位置と、その閉塞位置から手前側（遊技者側）に倒伏して大入賞口を開く開放位置との間で変位される。
【０００３】
ここで、遊技機における可変入賞装置は、賞球の払出しに直接関与するために不正行為（通称、ゴト行為）の標的となり易い。例えば、遊技機内に針金等の異物を挿入し回動翼片を強制的に開放位置に移動する不正行為によって、大量の賞球が不正に獲得されるおそれがある。このような不正行為を防止するため、例えば特許文献１に開示される技術が存している。
【０００４】
更に、入賞口には、規定数の遊技球が迅速に入賞されることが望ましい。ここで、遊技球は、開状態の開閉扉に衝突してバウンドしながら入賞される。遊技球がバウンドすることにより、球こぼれが発生してしまう。
【特許文献１】特開２００１−２２４７７１号公報
【発明の開示】
【発明が解決しようとする課題】
【０００５】
本発明は、上記した事情に鑑み、不正行為により入賞装置の入賞口を覆う回動体に外力が加えられて入賞口が開けられ、不正に賞球が獲得されないようにすることと、入賞する遊技球の球こぼれが生じにくくなるようにすることを課題としている。
【課題を解決するための手段及び発明の効果】
【０００６】
上記課題を解決するための第一の発明は、遊技機の遊技盤に固定され、その遊技盤上の遊技球を受け入れるための入賞口を有する遊技機用可変入賞装置であって、前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、その回動体よりも遊技者側に位置すると共に、前記遊技盤と平行状に配置され、遊技者側から見て前記回動体との重なりを生じて前記入賞口を少なくとも部分的に覆い隠す重合位置と、前記回動体との重なりを解除し前記入賞口の外側に退避してその回動体の外縁に接触又は接近する退避位置との間で移動して前記回動体との重合態様を変更する補助体とを備え、前記回動体が前記閉鎖位置に回動したとき、前記補助体は前記重合位置に移動して遊技球の入賞が不能な第一状態となる一方、前記回動体が前記開放位置に回動したとき、前記補助体は前記退避位置に移動して遊技球の入賞が可能な第二状態となることを特徴としている。
【０００７】
第一状態において、回動体を閉鎖位置から開放位置へ強制的に回動させるための外力が加えられても、閉鎖位置に移動した回動体と重合位置に移動した補助体とが重ね合わせ状態にあるため、不正行為による賞球の不正な獲得を防止することができる。また、第二状態において、開放位置に移動した回動体の外縁に、退避位置に移動した補助体が接することによって、入賞口に入る遊技球の玉こぼれが防止できる。補助体として、例えば、観音扉式のものやスライドドア等があげられる。
【０００８】
上記課題を解決するための第二の発明は、遊技機の遊技盤に固定され、その遊技盤上の遊技球を受け入れるための入賞口を有する遊技機用可変入賞装置であって、前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、その回動体を前記閉鎖位置と開放位置との間で回動変位させるための回動体アクチュエータと、その回動体アクチュエータの駆動力を前記回動体に伝達する回動体伝動機構と、前記回動体が前記閉鎖位置に保持されるように、その回動体を直接又は他部材を介して間接的に付勢するための付勢部材と、前記回動体よりも遊技者側に位置すると共に、前記遊技盤と平行状でかつ遊技球の流下方向に沿って配置された補助回動軸線周りに回動可能に取り付けられ、遊技者側から見て前記回動体との重なりを生じて前記入賞口を少なくとも部分的に覆い隠す重合位置と、前記回動体との重なりを解除し前記入賞口の外側に退避してその回動体の外縁に接触又は接近する退避位置との間で回動して前記回動体との重合態様を変更する補助体としての補助回動体と、その補助回動体が前記重合位置に保持されるように、その補助回動体を直接又は他部材を介して間接的に付勢するための補助付勢部材とを備え、前記回動体が前記付勢部材の付勢力により前記閉鎖位置に回動したとき、前記補助回動体は前記補助付勢部材の付勢力により前記重合位置に回動して遊技球の入賞が不能な第一状態となる一方、前記回動体が前記付勢部材の付勢力に抗して前記開放位置に回動したとき、前記補助回動体は前記補助付勢部材の付勢力に抗して前記退避位置に回動して遊技球の入賞が可能な第二状態となることを特徴としている。
【０００９】
第二の発明では、回動体伝動機構を介して、回動体アクチュエータの駆動力が回動体に伝動されて、回動体が閉鎖位置と開放位置との間で変位する。これにより、回動体は、確実に閉鎖位置と開放位置との間で変位する。そして、閉鎖位置に回動された回動体は、付勢部材によって保持されると共に、重合位置に保持された補助体としての補助回動体は、補助付勢部材によって付勢される。これにより、第一状態における回動体に、該回動体を閉鎖位置から開放位置へ強制的に回動させるための外力が加えられても、重合位置に保持された補助回動体が補助付勢部材によって付勢されているため、不正行為による賞球の不正な獲得を、確実に防止することができる。
【００１０】
前記第一状態において、前記閉鎖位置に回動した回動体と前記重合位置に移動した補助体とは、互いの対向面同士が少なくとも部分的に接触するように配置されるようにすることができる。
【００１１】
これにより、閉鎖位置に回動した回動体と重合位置に移動した補助体とが接触状態にあるため、（例えば、付勢部材の付勢力と補助付勢部材の付勢力とが相乗作用して）不正行為を実行しにくくなる。
【００１２】
そして、前記回動体の遊技者側の表面には、前記入賞口の内部側に向けて部分的に窪むことによって段差部が形成され、前記第一状態において前記閉鎖位置に回動した回動体の段差部に、前記重合位置に移動した補助体が嵌合されるようにすることができる。
【００１３】
この場合、閉鎖位置に回動した回動体と重合位置に移動した補助体とが段差部で嵌合するため、（例えば、付勢部材の付勢力と補助付勢部材の付勢力とが相乗作用して）不正行為を実行しにくくなる。
【００１４】
そして、前記第一状態において、前記入賞口を形成する枠体と前記補助体とは、遊技者側の表面が面一状になるように配置させることが望ましい。
【００１５】
この場合、重合位置に移動した補助体が枠体と面一状態となるため、（例えば、付勢部材の付勢力と補助付勢部材の付勢力とが相乗作用して）不正行為を実行しにくくなる。
【００１６】
上記課題を解決するための第三の発明は、遊技機の遊技盤に固定され、その遊技盤上の遊技球を受け入れるための入賞口を有する遊技機用可変入賞装置であって、前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、その回動体を前記閉鎖位置と開放位置との間で回動させるために直線的に変位する駆動部と、前記回動体が前記閉鎖位置に保持されるようにその駆動部を付勢するための付勢部材とを有する回動体アクチュエータと、その回動体アクチュエータの駆動部の直線的な移動を前記回動体の回転移動に変換して伝達する回動体伝動機構と、前記回動体よりも遊技者側に位置すると共に、前記遊技盤と平行状でかつ遊技球の流下方向に沿って配置された補助回動軸線周りに回動可能に取り付けられ、遊技者側から見て前記回動体との重なりを生じて前記入賞口を少なくとも部分的に覆い隠す重合位置と、前記回動体との重なりを解除し前記入賞口の外側に退避してその回動体の外縁に接触又は接近する退避位置との間で回動して前記回動体との重合態様を変更する補助回動体と、その補助回動体を前記重合位置と退避位置との間で前記回動体とは独立して回動させるために直線的に変位する補助駆動部と、前記補助回動体が前記重合位置に保持されるようにその補助駆動部を付勢するための補助付勢部材とを有する補助回動体アクチュエータと、その補助回動体アクチュエータの補助駆動部の直線的な移動を前記補助回動体の回転移動に変換して伝達する補助回動体伝動機構とを備え、前記回動体が前記回動体アクチュエータの付勢部材の付勢力により前記閉鎖位置に回動したとき、前記補助回動体は前記補助回動体アクチュエータの補助付勢部材の付勢力により前記重合位置に回動して遊技球の入賞が不能な第一状態となる一方、前記回動体が前記回動体アクチュエータの付勢部材の付勢力に抗して前記開放位置に回動したとき、前記補助回動体は前記補助回動体アクチュエータの補助付勢部材の付勢力に抗して前記退避位置に回動して遊技球の入賞が可能な第二状態となることを特徴としている。
【００１７】
第三の発明では、回動体は、回動体アクチュエータの補助駆動部の直線的な移動が、回動体伝動機構を介して伝達されて回動されると共に、補助回動体は、補助回動体アクチュエータの移動が、補助回動体伝動機構を介して伝達されて回動される。即ち、回動体と補助回動体とを、別個独立して回動させることができる。
【００１８】
前記入賞口は、遊技球の流下方向を上下方向としその交差方向を左右方向とする矩形状に形成され、前記回動体は、前記回動軸線を有する回動軸が前記入賞口の下側縁に沿って配置された開閉扉で構成されて、前記回動体伝動機構を介して前記回動体アクチュエータに連結され、前記補助回動体は、前記補助回動軸線を有する補助回動軸が前記入賞口の左右の側縁に沿ってそれぞれ配置され、前記回動体の左右の端部において前記重なりを生じる一対の補助扉で構成されて、前記補助回動体伝動機構を介して前記補助回動体アクチュエータに連結されているようにすることができる。
【００１９】
これにより、回動体及び補助回動体の構造を、簡素で小型コンパクトなものとすることができる。また、第一状態と第二状態との間の相互移動がスムーズになる。
【００２０】
そして、前記補助回動体アクチュエータはソレノイドで構成されると共に、前記補助回動体伝動機構は、一端部が回動支点として支持され、かつ中間部が前記ソレノイドの駆動部と係合し、その駆動部の直線的な移動によって他端部が前記回動支点を中心に回動する回動レバーと、一端部が前記補助回動軸に固定され、かつ他端部には凹形状又は凸形状のアーム側係合部が形成されて、前記回動レバーの他端部に形成された凸形状又は凹形状のレバー側係合部と係合する補助アームとを含み、前記ソレノイドの駆動部が直線的に移動したときその直線移動を前記回動レバーの回転移動に変換し、その回動レバーの回転移動を、前記レバー側係合部及びアーム側係合部を介して前記補助アームの回転移動に伝達して前記補助扉に伝動するようにすることが望ましい。
【００２１】
回動レバーの設計を変更するだけで、補助アーム（補助開閉扉）の回動角度を範囲を大きくしたり、逆に小さくしたりすることができる。
【００２２】
更に、前記一対の補助扉の上下方向高さは、それぞれ前記開閉扉の上下方向高さと実質的に等しく設定されていることが望ましい。
【００２３】
補助扉により、開閉扉に針金等の異物を引っ掛けるための面積が減少されるため、確実に不正の防止が図られる。
【００２４】
上記課題を解決するための第四の発明は、遊技機の遊技盤に固定され、その遊技盤上の遊技球を受け入れるための入賞口を有する遊技機用可変入賞装置であって、前記遊技盤と平行状でかつ遊技球の流下方向と交差して配置された回動軸線周りに回動可能に取り付けられ、前記入賞口を閉鎖する閉鎖位置とその入賞口を開放する開放位置との間で回動して前記入賞口の開口態様を変更する回動体と、その回動体を前記閉鎖位置と開放位置との間で回動させるために直線的に変位する駆動部と、前記回動体が前記閉鎖位置に保持されるようにその駆動部を付勢するための付勢部材とを有する回動体アクチュエータと、その回動体アクチュエータの駆動部の直線的な移動を前記回動体の回転移動に変換して伝達する回動体伝動機構と、前記回動体よりも遊技者側に位置すると共に、前記遊技盤と平行状でかつ遊技球の流下方向に沿って配置された補助回動軸線周りに回動可能に取り付けられ、遊技者側から見て前記回動体との重なりを生じて前記入賞口を少なくとも部分的に覆い隠す重合位置と、前記回動体との重なりを解除し前記入賞口の外側に退避してその回動体の外縁に接する退避位置との間で回動して前記回動体との重合態様を変更する補助回動体と、前記補助回動体が前記重合位置に保持されるように、その補助回動体を直接付勢するための補助付勢部材とを備え、前記回動体が前記回動体アクチュエータの付勢部材の付勢力により前記閉鎖位置に回動したとき、前記補助回動体は前記補助付勢部材の付勢力により前記重合位置に回動して遊技球の入賞が不能な第一状態となる一方、前記回動体が前記回動体アクチュエータの付勢部材の付勢力に抗して前記開放位置に回動したとき、前記補助回動体は前記回動体の押圧力により前記補助付勢部材の付勢力に抗して前記退避位置に回動して遊技球の入賞が可能な第二状態となることを特徴としている。
【００２５】
第四の発明では、補助回動体は、回動体アクチュエータによる回動体の回動に連動して第一状態から第二状態に変位すると共に、補助付勢部材の付勢力によって、第二状態から第一状態に変位する。これにより、可変入賞装置を簡素な構造とすることができる。
【００２６】
前記入賞口は、遊技球の流下方向を上下方向としその交差方向を左右方向とする矩形状に形成され、前記回動体は、前記回動軸線を有する回動軸が前記入賞口の上下の側縁に沿ってそれぞれ配置された一対の開閉扉で構成されて、前記回動体伝動機構を介して前記回動体アクチュエータに連結され、前記補助回動体は、前記補助回動軸線を有する補助回動軸が前記入賞口の左右の側縁に沿ってそれぞれ配置され、前記回動体の左右の端部において前記重なりを生じる一対の補助扉で構成されているようにすることができる。
【００２７】
これにより、入賞口及び開閉扉の形状が簡単なものとなる。
【００２８】
そして、前記回動体アクチュエータはソレノイドで構成されると共に、前記回動体伝動機構は、前記ソレノイドの駆動部と平行な面内においてその駆動部の移動方向と交差（例えば直交）する方向に往復移動可能な伝動板を有し、その伝動板には、その中間部において、前記駆動部の移動方向と斜め交差する方向に沿って駆動側係合凹部が形成され、その駆動側係合凹部は前記駆動部から前記回動軸と平行状に突出する駆動側係合凸部と係合する一方、その上下端部において、前記駆動部の移動方向に沿って従動側係合凹部がそれぞれ形成され、各従動側係合凹部は前記一対の開閉扉から前記回動軸と平行状に突出する従動側係合凸部とそれぞれ係合し、前記ソレノイドの駆動部が直線的に移動したとき、前記伝動板はその駆動部の移動方向と交差（例えば直交）する方向に移動し、前記一対の開閉扉の回動軸が同一回転方向に同時に回転変位するように変換して伝達するようにすることができる。
【００２９】
これにより、ソレノイドの駆動部が直線移動したときの駆動力を、前記一対の開閉扉に対して、こじれることなく円滑に伝動させることができる。
【００３０】
そして、前記一対の補助扉の上下方向高さは、それぞれ下方に位置する前記開閉扉の上下方向高さよりも大きく設定されていることが望ましい。
【００３１】
これにより、下方に位置する開閉扉を開かせるための抵抗力が大きくなり、不正をより効果的に防止できる。
【００３２】
上記課題を解決するための第五の発明は、上記したいずれかの遊技機用可変入賞装置が前記遊技盤に固定配置されたことを特徴とする遊技機である。
【００３３】
本発明に係る遊技機では、不正行為による賞球の獲得が防止されると共に、入賞口に入賞する遊技球が、回動体の外縁に接触又は接近された補助体（又は補助体としての補助回動体）によってこぼれることが防止される。
【発明を実施するための最良の形態】
【００３４】
本発明の実施例を説明する。図１は第一実施例のアタッカー８が取り付けられたパチンコ機１００の正面図、図２はアタッカー８の正面図、図３は各開閉扉１２，１３の閉状態におけるアタッカー８の斜視図、図４は同じく開状態におけるアタッカー８の斜視図、図５は図３の状態のアタッカー８の平面図、図６は同じく側面図である。
【実施例１】
【００３５】
最初に、遊技機（パチンコ機１００）の全体について説明する。図１に示されるように、パチンコ機１００の遊技盤１の前面には、ほぼ左半周が内外２本の発射レール２によって区画され、全体としてほぼ円形の遊技領域３が形成されている。この遊技領域３のほぼ中央部には、遊技中に行われる第一の当否抽選（特別図柄抽選）の結果等を演出表示及び確定表示するための液晶表示部４が設置されている。液晶表示部４の下方には、狭く開口し、遊技球（図示せず）の入賞を困難にする閉塞状態（図１に示される状態）と、広く開口し、遊技球の入賞を容易にする開放状態（図示せず）とに開口態様が変化するスタートチャッカー５が配置されている。このスタートチャッカー５は、遊技球を入賞させることにより、第一の当否抽選を開始させるという機能をも有している。スタートチャッカー５の下方には、第一の当否抽選の結果が大当たりのときに、その開閉扉６ａを開放して、規定数の遊技球を入賞し易くするアタッカー６（大入賞口）が配置されている。そして、本実施例のパチンコ機１００は、「ダブルアタッカー」と称されていて、遊技領域３の右側の下部には、遊技盤１と別体の遊技台板７が取り付けられていて、この遊技台板７に別のアタッカー８が配置されている。なお、図１において、９は、第二の当否抽選（普通図柄抽選）を開始させるためのスルーゲート９である。
【００３６】
図２ないし図４に示されるように、本実施例のアタッカー８は、遊技台板７に設けられた方形状の開口１１を閉塞するための第一開閉扉１２と、第一開閉扉１２の手前側（遊技者側）の直前方に重なり合って配置され、第一開閉扉１２を部分的に覆う一対の第二開閉扉１３とを備えている。遊技台板７の奥側には、枠部１４が設けられていて、この枠部１４に第一開閉扉１２を開閉させるためのアクチュエータ（第一ソレノイド１５）と、各第二開閉扉１３をそれぞれ独立して開閉させるための各アクチュエータ（第二ソレノイド１６）とが配設されている。なお、本明細書では、遊技台板７（開口１１を含む）と枠部１４との両方の機能を有するものを「枠体」と記載している。
【００３７】
第一開閉扉１２について説明する。図２ないし図５に示されるように、第一開閉扉１２は、遊技球Ｂ（図４参照）を受ける球受け部となる扉本体１７と、扉本体１７の両端部に立設された一対の球こぼれ防止部１８とを備えている。第一開閉扉１２は、閉状態で遊技台板７の内面（裏面）よりも少し奥側に入り込んで配置されている。扉本体１７の長さ（閉状態における高さ）は、開口１１の内側高さよりも少し短く、またその幅は、開口１１の内幅よりも少し短い。扉本体１７と一対の球こぼれ防止部１８とで囲まれた部分の奥側に、遊技球Ｂの入賞領域Ａが形成されている。第一開閉扉１２の開状態で、扉本体１７は、遊技台板７の外面（表面）よりも遊技者側に突出される。これにより、遊技台板７の開口１１が大きく開放され、規定数の遊技球Ｂが、開口１１を介して第一開閉扉１２の入賞領域Ａに入賞可能となる。扉本体１７における幅方向の両側の底面部は、第二開閉扉１３の各扉本体１９（後述）の長さ分だけ僅かに窪んでいて、それぞれ段差部１７ａが形成されている。
【００３８】
図５及び図６に示されるように、第一開閉扉１２を開閉させるための第一ソレノイド１５は、プランジャ１５ａの軸心をパチンコ機１００の奥行き方向に沿わせて、パチンコ機１００の正面視における開口１１の左側の部分に取り付けられている。プランジャ１５ａの先端部に取り付けられたブラケット２１には、引掛け部２２が連結されている。また、プランジャ１５ａの周囲には、第一ソレノイド１５の本体部１５ｂとブラケット２１とで支持される付勢ばね２３が弾装されている。プランジャ１５ａは、付勢ばね２３の付勢力により、常に突出方向（プランジャ１５ａが前進する方向）に付勢されている。引掛け部２２の側面部には、円柱形状の突起体（回動支持部２４）がパチンコ機１００の左右方向に沿って突出されていて、枠部１４に支持されている。引掛け部２２は、回動支持部２４の軸線２４ａを中心に回動自在である。そして、この回動支持部２４が、ブラケット２１に設けられた長孔２１ａに嵌合されていると共に、ブラケット２１の側面部に突設されたボス部２５が、引掛け部２２に形成された切欠部２６に嵌合されている。引掛け部２２の先端部には、二股に分かれた挟込み部２７が形成されていて、この挟込み部２７に、第一開閉扉１２の突起部２８が挟み込まれている。
【００３９】
第一ソレノイド１５を通電させ、付勢ばね２３の付勢力に抗してプランジャ１５ａを後退させると、ブラケット２１のボス部２５が、引掛け部２２の切欠部２６を引っ張る。これにより、引掛け部２２が、回動支持部２４の軸線２４ａを中心として、反時計回りの方向に回動される（図７参照）。
【００４０】
引掛け部２２の前方で、遊技台板７の直後方には、第一開閉扉１２が配設されている。第一開閉扉１２は、その側面部に突設された回動支持部２９が枠部１４に支持されていて、回動支持部２９の軸線２９ａを中心に垂直面内で回動自在である。通常の遊技状態で、第一ソレノイド１５のプランジャ１５ａは、付勢ばね２３の付勢力により前進端に位置されていて、引掛け部２２の挟込み部２７の上口部２７ａが、第一開閉扉１２の突起部２８を下方に向かって押さえ付けている。これにより、第一開閉扉１２の扉本体１７は、遊技台板７の内面（裏面）よりも奥側に、遊技台板７とほぼ平行に配置される。
【００４１】
図７に示されるように、大当たり状態で第一ソレノイド１５が作動され、付勢ばね２３の付勢力に抗してプランジャ１５ａが後退させられると、ブラケット２１のボス部２５も後退されるため、引掛け部２２が、回動支持部２４の軸線２４ａを中心に、反時計回りの方向に回動される。第一開閉扉１２の重心は、手前側（遊技者側）に位置しているため、第一開閉扉１２が、時計回りの方向に回動する。このとき、第一開閉扉１２の突起部２８は、引掛け部２２の挟込み部２７の上口部２７ａに追従して移動する。そして、球こぼれ防止部１８の後端部が、枠部１４のストッパ部１４ａに当接して停止される。この状態で、第一開閉扉１２の扉本体１７は、遊技台板７の外面（表面）よりも前方（遊技者側）に突出される。この結果、遊技台板７の開口１１が大きく開放され、遊技球Ｂが入賞可能となる。
【００４２】
規定数の遊技球Ｂが入賞すると、図示しない制御部からの指令により、第一ソレノイド１５の通電が遮断される。第一ソレノイド１５のプランジャ１５ａは、付勢ばね２３の付勢力により、第一ソレノイド１５の本体部１５ｂから突出（前進）される。これにより、引掛け部２２が時計回りの方向に回動され、その挟込み部２７の上口部２７ａが、第一開閉扉１２の突起部２８を押し下げる。第一開閉扉１２が、回動支持部２９の軸線２９ａを中心に反時計回りの方向に回動され、遊技台板７の奥側に配置される。
【００４３】
次に、一対の第二開閉扉１３について説明する。一対の第二開閉扉１３の構成は、対称であることを除いて同一であるため、本明細書では、パチンコ機１００の正面視における左側（図５の図面視における下側）の第二開閉扉１３についてのみ説明する。図３ないし図６に示されるように、第二開閉扉１３は、段付き軸形状の回動支持部３１と、その外周面から接線方向に延設された扉本体１９と、回動支持部３１の上部の外周面から、扉本体１９と所定の角度をおいて接線方向に延設された駆動連結部３２とを備えている。駆動連結部３２の先端部は二股状になっていて、溝部３２ａが形成されている。回動支持部３１は、枠部１４に回動自在に支持されている。このため、第二開閉扉１３の扉本体１９は、回動支持部３１の軸線３１ａを中心に、水平面内で回動自在である。通常の遊技状態で第二開閉扉１３の扉本体１９は閉じていて、第一開閉扉１２の扉本体１７の底面部に設けられた段差部１７ａに近接配置されている。
【００４４】
図５及び図６に示されるように、第二開閉扉１３を開閉する第二ソレノイド１６は、そのプランジャ１６ａの軸線をパチンコ機１００の左右方向に沿わせて配置されている。プランジャ１６ａの先端部には、プランジャ１６ａの外径よりも大径の連結部３３が取り付けられている。プランジャ１６ａの周囲には、第二ソレノイド１６の本体部１６ｂと連結部３３とで支持される付勢ばね３４が弾装されている。プランジャ１６ａは、付勢ばね３４の付勢力により、常に突出方向に付勢されている。
【００４５】
連結部３３の直上方には、アーム３５が取り付けられている。アーム３５の一端部（後端部）は、枠部１４に対して水平面内で回動自在に支持されている。また、アーム３５の長手方向の中央部近傍部分の底面部と、同じく他端部（前端部）の底面部から、下方に向かって各突起部３６，３７が垂下されている。突起部３６は、第二ソレノイド１６のプランジャ１６ａに取り付けられた連結部３３と連結されていて、突起部３７は、第二開閉扉１３の駆動連結部３２の溝部３２ａに嵌り込んで係合されている。第二ソレノイド１６を通電し、付勢ばね３４の付勢力に抗してプランジャ１６ａを後退させると、アーム３５は、長手方向の一端部（後端部）に設けられた軸線３８を支点として回動される。これにより、アームの他端部（前端部）に設けられた突起部３７が、駆動連結部３２の溝部３２ａをスライドしながら、第二開閉扉１３を回動させる。この結果、第二開閉扉１３の扉本体１９が、第一開閉扉１２の扉本体１７の段差部１７ａから離間する。その状態を、図５に二点鎖線で示す。
【００４６】
図３ないし図７を参照しながら、第一実施例のアタッカー８について、第一及び第二の各開閉扉１２，１３が閉状態から開状態に至るときの作用を説明する。アタッカー８は、最初に一対の第二開閉扉１３が開かれ、その後で第一開閉扉１２が開かれる。図２及び図３に示されるように、通常の遊技状態（各開閉扉１２，１３の閉状態）で、第二開閉扉１３の一対の扉本体１９は、第一開閉扉１２の扉本体１７に設けられた各段差部１７ａに入り込み、第一開閉扉１２の扉本体１７に近接した状態で配置されている。これにより、第二開閉扉１３の各扉本体１９に異物を引っ掛けることが困難になる。また、遊技台板７の開口１１と第一開閉扉１２の扉本体１７との隙間が僅かであり、かつ第一開閉扉１２の全体が遊技台板７の内面（裏面）よりも奥側に配置されているため、第一開閉扉１２の扉本体１７に異物を引っ掛けることも困難である。更に、第一開閉扉１２の扉本体１７に引っ掛けた異物を引っ張ることにより、第一開閉扉１２を開かせようとしても、そのときには、第一開閉扉１２だけでなく一対の第二開閉扉１３をも開かせる必要がある。本実施例のアタッカー８の場合、第一開閉扉１２の直前方に一対の第二開閉扉１３が配設されていることにより、第一開閉扉１３を開かせるときの抵抗が極めて大きくなっている。
【００４７】
図４及び図５に示されるように、大当たり状態になると、図示しない制御部から各第二ソレノイド１６に指令が送られ、それらが通電されることにより、それぞれのプランジャ１６ａが、各付勢ばね３４の付勢力に抗して後退させられる。これにより、一対のアーム３５が、それらの軸線３８を中心に、内方に向かって回動される。それに伴い、第二開閉扉１３の各扉本体１９が回動支持部３１の軸線３１ａを中心に、外方に向かって回動される。これにより、一対の第二開閉扉１３が開かれる。
【００４８】
続いて、図６及び図７に示されるように、図示しない制御部から第一ソレノイド１５に指令が送られ、第一ソレノイド１５が通電されることにより、プランジャ１５ａが付勢ばね２３の付勢力に抗して後退させられる。これにより、ブラケット２１に連結された引掛け部２２が、回動支持部２４の軸線２４ａを中心に反時計回りの方向に回動される。第一開閉扉１２の重心は手前側（遊技者側）に位置しているので、回動支持部２９の軸線２９ａを中心に時計回りの方向に回動し、第一開閉扉１２の扉本体１７が遊技台板７の開口１１から突出する。この結果、遊技台板７の開口１１が大きく開放され、遊技球Ｂが入賞領域Ａに入賞可能となる。
【００４９】
開状態の第一開閉扉１２の扉本体１７の両端部には、球こぼれ防止部１８が設けられていると共に、各球こぼれ防止部１８の外側部分に、第二開閉扉１３の各扉本体１９が重なり状態で配置されている。これにより、第一開閉扉１２の扉本体１７に衝突してバウンドする遊技球Ｂの球こぼれが防止される。
【００５０】
規定数の遊技球Ｂが入賞領域Ａに入賞すると、図示しない制御部からの指令が各ソレノイド１５，１６に送られ、第一ソレノイド１５から第二ソレノイド１６の順で、それらの通電が遮断される。これにより、第一開閉扉１２が閉じられた後、一対の第二開閉扉１３が閉じられる。この結果、遊技台板７の開口１１が閉塞される。
【００５１】
第一実施例のアタッカー８では、アーム３５から突出された突起部３７が、第二開閉扉１３の駆動連結部３２の溝部３２ａに嵌り込んで係合されることにより、両者が連結され、第二ソレノイド１６のプランジャ１６ａが移動（後退）したときの駆動力が伝動される形態である。しかし、アーム３５の側に形成された溝部に、駆動連結部３２の側に突出された突起部が嵌り込んで係合されていてもよい。
【実施例２】
【００５２】
次に、第二実施例のアタッカー４１について説明する。上記した第一実施例のアタッカー８では、第一及び第二の各開閉扉１２，１３が、各ソレノイド１５，１６によって開閉される場合である。しかし、第二実施例のアタッカー４１は、単一のソレノイド４２によって、第一及び第二の各開閉扉４３，４４が開閉される場合である。図８は第二実施例のアタッカー４１の正面図、図９は同じく各開閉扉４３，４４が閉状態の斜視図、図１０は同じく各開閉扉４３，４４が開状態のアタッカー４１の斜視図である。
【００５３】
第二実施例のアタッカー４１は、図８ないし図１２に示されるように、遊技台板７の内面（裏面）に取り付けられた枠部４５に垂直面内で回動自在に支持される第一開閉扉４３と、同じく水平面内で回動自在に支持される第二開閉扉４４と、第一及び第二の各開閉扉４３，４４を一体的に開閉させるソレノイド４２とを備えている。第一開閉扉４３の扉本体は、上側扉本体４６と下側扉本体４７とに、高さ方向で二分割されている。下側扉本体４７における幅方向の両端部には、各球こぼれ防止部４８が立設されている。また、上下の各扉本体４６，４７には、第一実施例の場合と同様に、各段差部４６ａ，４７ａが設けられている。第一開閉扉４３の開状態で、下側扉本体４７は遊技球Ｂを受けるための球受け部となる。下側扉本体４７と一対の球こぼれ防止部４８とで、遊技球Ｂの入賞領域Ａが形成される。
【００５４】
上側扉本体４６の上端部の両側には、パチンコ機１００（図１参照）の左右方向に沿って各回動支持部４９が突出されていて、各回動支持部４９は、枠部４５に対して、遊技台板７の奥側にのみ回動自在に支持されている。このため、上側扉本体４６は、各回動支持部４９の軸線４９ａを中心に、垂直面内で回動自在である。同様に、下側扉本体４７の下端部の両側には、パチンコ機１００の左右方向に沿って各回動支持部５１が突出されていて、各回動支持部５１は、枠部４５に対して、遊技台板７の手前側にのみ回動自在に支持されている。このため、下側扉本体４７は、各回動支持部５１の軸線５１ａを中心に、垂直面内で回動自在である。
【００５５】
上下の各扉本体４６，４７の手前側には、それらの両端部を覆う形態で、第二開閉扉４４の一対の扉本体５２が配置されている。一対の扉本体５２の構成は、対称であることを除いて同一であるため、本明細書では、パチンコ機１００の正面視における右側（図８の図面視における右側）の扉本体５２についてのみ説明する。扉本体５２の一端部には、パチンコ機１００の高さ方向に沿って各回動支持部５３が突出されていて、各回動支持部５３は、枠部４５に対して、遊技台板７の手前側にのみ回動自在に支持されている。このため、扉本体５２は、各回動支持部５３の軸線５３ａを中心に、水平面内で回動自在である。そして、下側の回動支持部５３には、ねじりコイルばね５４が弾装されている。開かれた扉本体５２は、ねじりコイルばね５４の付勢力により閉じられる。
【００５６】
第一及び第二の各開閉扉４３，４４を開かせるための駆動機構について説明する。図１０の（ａ）に示されるように、ソレノイド４２のプランジャ４２ａの先端部には、連結部５５が取り付けられている。プランジャ４２ａの周囲には、ソレノイド４２の本体部４２ｂと連結部５５とで支持される付勢ばね５６が弾装されている。そして、連結部５５の先端部に設けられた突起部５５ａは、枠部４５に対して高さ方向にスライド可能に装着されたスライド板部５７の長孔５７ａに嵌合されている。この長孔５７ａは、前端部が後端部よりも高くなるように斜めに設けられている。このため、ソレノイド４２のプランジャ４２ａを後退させると、スライド板部５７が上昇される。
【００５７】
スライド板部５７の上端部と下端部には、パチンコ機１００の奥行き方向に沿って各長孔５８，５９が設けられている。上側の長孔５８には、第一開閉扉４３の上側扉本体４６の側端部から延設されたアーム６１の先端部に設けられている突起部６１ａが嵌合されている。また、下側の長孔５９には、第一開閉扉４３の下側扉本体４７の球こぼれ防止部４８の先端部に設けられている突起部４８ａが嵌合されている。ソレノイド４２のプランジャ４２ａが後退されたとき、スライド板部５７が上昇されるのに伴い、各突起部４８ａ，６１ａも後退される。これにより、第一開閉扉４３の上側扉本体４６は、回動支持部４９の軸線４９ａを中心に、遊技台板７の奥側に向かって回動されると共に、下側扉本体４７は、回動支持部５１の軸線５１ａを中心に、遊技台板７の手前側に向かって回動される。更に、第二開閉扉４４の一対の扉本体５２は、第一開閉扉４３の下側扉本体４７に押され、各ねじりコイルばね５４の付勢力に抗して回動される。これにより、遊技台板７の開口１１が大きく開放され、遊技球Ｂの入賞領域Ａが形成される。
【００５８】
このとき、第二開閉扉４４の一対の扉本体５２は、第一開閉扉４３の一対の球こぼれ防止部４８に重ね合わさって、かつ遊技台板７の開口１１の高さ方向の全体に亘って配置されている。これにより、球受け部（第一開閉扉４３の下側扉本体４７）に衝突してバウンドしながら入賞領域Ａに入賞する遊技球Ｂが、入賞領域Ａからこぼれにくくなる。
【００５９】
入賞領域Ａに規定数の遊技球Ｂが入賞すると、図示しない制御部からの指令により、ソレノイド４２の通電が遮断される。ソレノイド４２のプランジャ４２ａは、付勢ばね５６の付勢力により、ソレノイド４２の本体部４２ｂから突出（前進）される。これにより、スライド板部５７が下降され、第一開閉扉４３の上側扉本体４６を手前側に向かって回動させると共に、下側扉本体４７を奥側に向かって回動させる。この結果、遊技台板７の開口１１が閉じられる。同時に、第二開閉扉４４の一対の扉本体５２が、各ねじりコイルばね５４の付勢力によって閉じられる。
【００６０】
第二実施例のアタッカー４１の場合、一対の第二開閉扉４４は、第一開閉扉４３に押されて開かれる。また、第一開閉扉４３が閉じられたとき、一対の第二開閉扉４４は、ねじりコイルばね５４の付勢力によって閉じられる。このため、駆動源は、第一開閉扉４３を開閉させためのソレノイド４２の１個で済む。そして、駆動伝動機構の構成も簡単なものとなる。そして、第一実施例のアタッカー８の場合と同様に、第一開閉扉４３が遊技台板７の開口１１を閉塞していると共に、一対の第二開閉扉４４が第一開閉扉４３の前面に配置されているため、第一実施例のアタッカー８と同様な不正防止効果が奏される。
【００６１】
上記した各実施例のアタッカー８，４１では、遊技台板７の開口１１を閉塞する第一開閉扉１２，４３の前面に、第二開閉扉１３，４４が重なり合って配置されている。しかも、各第二開閉扉１３，４４の扉本体１９，５２は、対応する第一開閉扉１２，４３の扉本体１７，４６，４７の段差部１７ａ，４６ａ，４７ａに近接配置されている。このため、第一開閉扉１２，４３と開口１１との隙間がより小さくなっていて、異物（針金等）を引っ掛けにくい。また、第一開閉扉１２,４３だけでなく、第二開閉扉１３，４４の抵抗力にも抗して、引っ張る必要がある。これにより、不正が行われにくく、各開閉扉１２，１３，４３，４４が開かれて、不正に賞球が獲得されることが防止される。
【００６２】
更に、各実施例のアタッカー８，４１では、入賞領域Ａに入賞する遊技球Ｂの球受け部となる第一開閉扉１２，４３の扉本体１７，４７の幅方向の両端部には、第二開閉扉１３，４４の球こぼれ防止部１８，４８が近接配置されている。これにより、入賞するときに遊技球Ｂがバウンドしても、確実に入賞領域に案内され、こぼれにくくなる。
【００６３】
各実施例のアタッカー８，４１において、各開閉扉１２，１３，４３，４４を開閉させるためのアクチュエータは、ソレノイド１５，１６，４２である。このため、制御が簡単で、かつ安価であるという利点がある。しかし、ソレノイド１５，１６，４２以外のアクチュエータ（例えば、電動モータ、エアシリンダ等）であってもよい。
【００６４】
各実施例のアタッカー８，４１において、回動体伝動機構は、引掛け部２２、アーム３５、スライド板部５７等のリンク機構である。このため、その構成が簡単になるという利点がある。しかし、それ以外の伝動機構（例えば、歯車、ベルト、チェーン、ワイヤ、ロープ等による巻き掛け伝動機構や、摩擦車による接触伝動機構）であってもよい。
【００６５】
各実施例のアタッカー８，４１において、第二開閉扉１３，４４の各扉本体１９，５２は、第一開閉扉１２，４３の扉本体１７，４６，４７と部分的に重なり合っている。しかし、それらが、全面的に重なり合っていてもよい。
【図面の簡単な説明】
【００６６】
【図１】第一実施例のアタッカー８が取り付けられたパチンコ機１００の正面図である。
【図２】アタッカー８の正面図である。
【図３】各開閉扉１２，１３の閉状態におけるアタッカー８の斜視図である。
【図４】同じく開状態におけるアタッカー８の斜視図である。
【図５】図３の状態のアタッカー８の平面図である。
【図６】同じく側面図である。
【図７】第一開閉扉１２が開かれる状態の作用説明図である。
【図８】第二実施例のアタッカー４１の正面図である。
【図９】同じく各開閉扉４３，４４が閉状態の斜視図である。
【図１０】同じく各開閉扉４３，４４が開状態のアタッカー４１の斜視図である。
【図１１】（ａ）は図９の状態のアタッカー４１の側面図であり、（ｂ）は（ａ）の断面図である。
【図１２】（ａ）は図１０の状態のアタッカー４１の側面図であり、（ｂ）は（ａ）の断面図である。
【符号の説明】
【００６７】
１００：パチンコ機（遊技機）
１：遊技盤
７：遊技台板（枠体）
８，４１：アタッカー（可変入賞装置）
１１：開口（入賞口）
１２，４３：第一開閉扉（回動体）
１３，４４：第二開閉扉（補助回動体）
１４：枠部（枠体）
１５，４２：ソレノイド（回動体アクチュエータ）
１５ａ，４２ａ：プランジャ（駆動部）
１６：ソレノイド（補助回動体アクチュエータ）
１６ａ：プランジャ（補助駆動部）
17a,46a,47a：段差部
２２：引掛け部（回動体伝動機構）
２３，３４：付勢ばね（付勢部材）
29a,31a,51a：軸線（回動軸線）
３１ａ，５３ａ：軸線（補助回動軸線）
３２：駆動連結部（補助アーム）
３２ａ：溝部（アーム側係合部）
３５：アーム（補助回動体伝動機構、回動レバー）
３７：突起部（レバー側係合部）
３８：軸線（補助回動軸）
４８ａ：突起部（従動側係合凸部）
５４：ねじりコイルばね（補助付勢部材）
５５ａ：突起部（駆動側係合凸部）
５７：スライド板部（回動体伝動機構、伝動板）
５７ａ：長孔（駆動側係合凹部）
５８，５９：長孔（従動側係合凹部）
６１ａ：突起部（従動側係合凸部）
Ｂ：遊技球
【図１】
2008148823.tif 000003
【図２】
2008148823.tif 000004
【図３】
2008148823.tif 000005
【図４】
2008148823.tif 000006
【図５】
2008148823.tif 000007
【図６】
2008148823.tif 000008
【図７】
2008148823.tif 000009
【図８】
2008148823.tif 000010
【図９】
2008148823.tif 000011
【図１０】
2008148823.tif 000012
【図１１】
2008148823.tif 000013
【図１２】
2008148823.tif 000014